(57)【要約】      （修正有）【課題】メガネフレームと折畳み可能とした折り畳みメガネを提供する。【解決手段】２個のメガネフレーム１の相対する内側辺に連接部１１を、相対する外側辺に組合せ接続部１３をそれぞれ設置し、中ブリッジ２は２個のメガネフレーム１の間に設置され、２個のテンプル５はメガネフレーム１外側辺の組合せ接続部１３にそれぞれ接続され、メガネフレーム１の連接部１１の頂縁に上向きに開口する定位係合溝１２を設けて、中ブリッジ２の両側辺底縁に設けた下向きに開口する係合溝２０と着脱可能に係合させ、中ブリッジ２の両端に設けた枢接部２１に穿孔２２を設置し、メガネフレーム１の連接部１１に連接アセンブリ３の第二リベット３１を固定し、連接アセンブリ３の第一リベット３０を該穿孔２２に挿通して第二リベット３１と結合させて、該第一リベット３０を支軸とする枢着構造とした。【選択図】図２
0003229667.tif 000002
【実用新案登録請求の範囲】
【請求項１】
相対して設置される２個のメガネフレーム、中ブリッジ及び２個のテンプルを備え、
上記２個のメガネフレーム内には、それぞれ１個のメガネレンズを嵌めて設置し、該２個のメガネフレームの相対する内側辺には、連接部をそれぞれ設置し、該２個のメガネフレームの相対する外側辺には、組合せ接続部をそれぞれ設置し、
上記中ブリッジは、上記２個のメガネフレームの間に設置され、上記２個のテンプルは、該２個のメガネフレーム外側辺の組合せ接続部にそれぞれ設置され、
上記２個のメガネフレームの上記連接部の頂縁には、それぞれ上向きに開口する定位係合溝を設置し、上記中ブリッジの両側辺底縁には、該連接部の定位係合溝に対応してそれぞれ下向きに開口する係合溝を設置して着脱可能に係合せしめ、
上記中ブリッジの両端には、それぞれ穿孔を設けた枢接部を設置して、上記メガネフレームの連接部と対応せしめて両者を枢着する連接アセンブリを設置し
該連接アセンブリは、第一リベットと第二リベットからなり、該第一リベットは、該中ブリッジの枢接部の穿孔内に通して設置され、該第二リベットと相互にリベット接続されて一体となって支軸を形成し、
該第二リベットは、該メガネフレームの連接部の内側面に固定して設置されることにより、
該支軸を介してメガネフレームを折畳み可能としたことを特徴とする折り畳みメガネ。
【請求項２】
前記連接アセンブリの該第一リベットと該中ブリッジの間に第一ワッシャーを設置し、
前記連接アセンブリの第二リベットと該中ブリッジの間には第二ワッシャーを設置することを特徴とする請求項１に記載の折り畳みメガネ。
【請求項３】
前記２個のメガネフレームの相対する外側辺の組合せ接続部に嵌合接続溝を設置し、
前記２個のテンプルの前端には、内向きに収容設置溝をそれぞれ設置し、
該２個のテンプルの内側壁面上に、各１個の定位穿孔を設置し、
該２個のテンプルの収容設置溝内には、伸縮アームをそれぞれ挿入して設置し、
該伸縮アームは、一端に湾曲し、かつ弾性を備える嵌接片を設置して、該嵌接片の弾発力を作用させて上記メガネフレームの組合せ接続部の嵌合接続溝内に嵌設させて上記メガネフレームの組合せ接続部に組み付けられ、
該伸縮アームは、長さ方向に沿ってスライド溝を設置して、定位ピンを該スライド溝内に通して上記テンプルの定位穿孔内に固定することにより、
該伸縮アームをテンプルの収容設置溝内にスライドして伸縮可能としたことを特徴とする請求項１に記載の折り畳みメガネ。
【考案の詳細な説明】
【技術分野】
【０００１】
本考案は折り畳みメガネに関し、特に折り畳んで体積を小さくでき、携帯しての使用に便利で、しかも緩んで抜ける恐れがない折り畳みメガネに関する
【背景技術】
【０００２】
一般にメガネの構造は、メガネフレームと２個のテンプルからなる。
メガネフレーム内には、２個のメガネレンズを嵌設し、２個のテンプルは、メガネフレームの両側にそれぞれ枢接される。
メガネ着用時には、テンプルとメガネフレームの枢接位置を軸心として、２個のテンプルを外向きに移動させて展開し、着用する。
メガネを着用しない時に收納或いは携帯する際には、２個のテンプルとメガネフレームの枢接位置を軸心として内向きに移動させテンプルを閉じ、これにより２個のテンプルは、メガネフレームに対応し交差して合わさった後、メガネケース内に収納される。
【０００３】
しかし、従来のメガネでは、テンプルを畳んだ後の長さは、メガネフレーム全体の長さであるため、折って畳んだ後も、かなり大きな体積を備え、收納、携帯に不利である。
【０００４】
これに対して、体積を縮小できる折り畳み式メガネがあるが、従来の折り畳み式メガネは、図１に示すように、一対のメガネフレームＡを備える。
該２個のメガネフレームＡは、横ブリッジＢにより一体に連接され、２個のメガネフレームＡ内には、メガネレンズＡ１が設置される。
該横ブリッジＢの両端は、それぞれ２個のメガネフレームＡの相対する内側辺縁と、ネジＣとナットにより螺合され、枢設して連接される。
２個のテンプルＤもまた、それぞれ枢接構造と２個のメガネフレームＡの外側辺縁により枢設して連接される。
テンプルＤとメガネフレームＡの枢接構造もまた、ネジＣにより螺合して固定される。
また、２個のテンプルＤの中段位置には、枢接部を設置し、該枢接部もまた、ネジＣにより螺合して連接される。
こうして、テンプルＤは折り畳み収納、或いは展開され、各枢接部位のネジＣにより螺合枢接され、２個のメガネフレームＡと２個のテンプルＤは折り畳まれて体積を縮小され、携帯しての使用に便利となる。
【０００５】
しかし、従来のメガネの折り畳み収納構造は、ネジＣにより相互に螺合して枢接されるため、何度も折り畳み収納と展開使用を繰り返すことで、各部位のネジＣには緩みが生じやすく脱落の恐れがあり、脱落したネジとナットを遺失してしまえば、再び組み立てて使用することができなくなってしまう。
しかも、折り畳み後の２個のメガネフレームＡの内面は、相対して向かい合い、２個のテンプルＤは、相対して折り畳まれる２個のメガネフレームＡ内側の間に位置するため、折り畳み後の全体の厚みは厚くなり、しかもメガネレンズＡ１にテンプルＤがぶつかり、傷がつきやすい。
よって、折り畳みと使用において欠点が存在する。
【先行技術文献】
【特許文献】
【０００６】
【特許文献１】特開２０１９−１７９１０８号公報
【特許文献２】特開２００３−１０７４０８号公報
【考案の概要】
【考案が解決しようとする課題】
【０００７】
本考案の目的は、従来の折り畳みメガネに存在する欠点を効果的に解決できる折り畳みメガネを提供することである。
【課題を解決するための手段】
【０００８】
本考案の折り畳みメガネは、相対して設置される２個のメガネフレーム、中ブリッジを備え、
該２個のメガネフレーム内には、それぞれ１個のメガネレンズを嵌めて設置し、該２個のメガネフレームの相対する内側辺には、連接部をそれぞれ設置し、該２個のメガネフレームの相対する外側辺には、組合せ接続部をそれぞれ設置し、該中ブリッジは、該２個のメガネフレームの間に枢設され、
該２個のテンプルは、該２個のメガネフレーム外側辺の組合せ接続部上にそれぞれ設置され、
該２個のメガネフレームの連接部の頂縁には、それぞれ定位係合溝を設置し、該中ブリッジの両側辺底縁には、該２個のメガネフレームの連接部の定位係合溝に対応し、それぞれ１個の係合溝を設置し、該中ブリッジの両端には、それぞれ１個の枢接部を設置し、該枢接部上には、穿孔を設置し、該中ブリッジ両端の枢接部と該２個のメガネフレームの連接部上には、連接アセンブリを設置し、該連接アセンブリは、第一リベットと第二リベットからなり、該第一リベットは、該中ブリッジの枢接部の穿孔内に通して設置され、該第二リベットと相互にリベット接続されて一体となり、支軸を形成し、該第二リベットは、該メガネフレームの連接部の内側面上に固定して設置される。
【０００９】
本考案の折り畳みメガネにおいて、該連接アセンブリの該第一リベットと該中ブリッジの間には、第一ワッシャーを設置し、該第二リベットと該中ブリッジの間には、第二ワッシャーを設置する。
【００１０】
本考案の折り畳みメガネにおいて、該２個のメガネフレームの組合せ接続部上には、嵌合接続溝を設置し、該２個のテンプルの前端には、内向きに収容設置溝をそれぞれ設置し、該２個のテンプルの内側壁面上には、各１個の定位穿孔を設置し、該２個のテンプルの収容設置溝内には、伸縮アームをそれぞれ挿入して設置し、該伸縮アームは、該２個のメガネフレームの組合せ接続部上に組み付けられ、該伸縮アームの一端部には、湾曲し、しかも弾性を備える嵌接片を設置し、該嵌接片は、弾性を呈しながら、該メガネフレームの組合せ接続部の嵌合接続溝内に嵌設され、該伸縮アームの壁面上には、スライド溝を設置し、定位ピンは、該スライド溝内に通して設置され、該テンプルの定位穿孔内に固定して設置される。
【考案の効果】
【００１１】
本考案の折り畳みメガネは、構造全体でネジによる組み付けを使用しないため、緩んで抜ける恐れがなく、メガネ折り畳み後は全体の体積が小さく薄くなり、携帯と使用に便利である。
【図面の簡単な説明】
【００１２】
【図１】従来の折り畳みメガネの折り畳み収納の模式図である。
【図２】本考案実施例の立体分解図である。
【図３】本考案実施例の立体組合せ図である。
【図４】本考案実施例の中ブリッジとメガネフレーム部分の組合せ俯視断面図である。
【図５】本考案実施例の中ブリッジとメガネフレーム部分の組合せ前視図である。
【図６】本考案実施例において伸縮アームがテンプルから伸び出す様子を示す展開模式図である。
【図７】本考案実施例において伸縮アームが収縮してテンプル内に入り収納される様子を示す模式図である。
【図８】本考案実施例においてテンプルがメガネフレームに向かって畳まれる様子を示す模式図である。
【図９】本考案実施例においてメガネフレームとテンプルを折り畳んで合わせた後の平面模式図である。
【図１０】本考案実施例においてメガネフレームとテンプルを折り畳んで合わせた後の立体模式図である。
【図１１】本考案実施例においてメガネフレームとテンプルを折り畳んで合わせた後の側視模式図である。
【考案を実施するための形態】
【００１３】
〔実施例１〕
【００１４】
図２〜４に示すように、本考案の実施例は相対して設置される２個のメガネフレーム１、中ブリッジ２を備える。
【００１５】
該２個のメガネフレーム１内には、それぞれ１個のメガネレンズ１０を嵌めて設置する。
【００１６】
該２個のメガネフレーム１の相対する内側辺には、連接部１１をそれぞれ設置して、該連接部１１の頂縁には、上向きに開口する定位係合溝１２を設置する。
【００１７】
該２個のメガネフレーム１の相対する外側辺には、組合せ接続部１３をそれぞれ設置し、該組合せ接続部１３には、嵌合接続溝１４を設置する。
【００１８】
前記中ブリッジ２は、該２個のメガネフレーム１の間に設置され、該中ブリッジ２の両側辺底縁には、該２個のメガネフレーム１の連接部１１の定位係合溝１２に対応して、それぞれ１個の下向きに開口する係合溝２０を設置する。
【００１９】
該中ブリッジ２の両端には、それぞれ１個の枢接部２１を設置し、該枢接部２１には、穿孔２２を設置する。
【００２０】
２組の連接アセンブリ３は、該中ブリッジ２の枢接部２１及び該メガネフレーム１の連接部１１の内側面にそれぞれ設置される。
【００２１】
該連接アセンブリ３は、第一リベット３０、第二リベット３１、第一ワッシャー３２、第二ワッシャー３３からなり、該第一ワッシャー３２は、該第一リベット３０と該中ブリッジ２の間に設置され、該第二ワッシャー３３は、該第二リベット３１と該中ブリッジ２の間に設置される。
【００２２】
該第一リベット３０は、該第二リベット３１と相互にリベット接続されて一体となり、該第二リベット３１は溶接方式により、該メガネフレーム１の連接部１１内側面上に固定して設置される。
【００２３】
該溶接方式は、レーザー溶接、超音波溶接、或いは伝統的な溶接等で、該第二リベット３１と該メガネフレーム１の連接部１１を一体に結合できる連接方式である。
【００２４】
２個の伸縮アーム４は、前記２個のメガネフレーム１の外方の組合せ接続部１３にそれぞれ組み付けられ、該伸縮アーム４の一端部には、湾曲し、かつ弾性を備える嵌接片４０を設置する。
【００２５】
該嵌接片４０は、弾性を呈しながら、該メガネフレーム１の組合せ接続部１３の嵌合接続溝１４内に嵌設され、該伸縮アーム４の壁面上には、スライド溝４１を設置して定位ピン４２は、該スライド溝４１内に通して設置される。
【００２６】
２個のテンプル５は、それぞれ該２個の伸縮アーム４に組み付けられ、該２個のテンプル５の前端には、前記の２個の伸縮アーム４を插入する収容設置溝５０をそれぞれ内向きに設置する。
【００２７】
該２個のテンプル５の内側壁面上には、該２個の伸縮アーム４上の定位ピン４２を通して設置する定位穿孔５１をそれぞれ設置し、こうして折り畳みメガネ構造を構成する。
【００２８】
組み立て時には、図２〜６に示すように、連接アセンブリ３の第一リベット３０を、第一ワッシャー３２、中ブリッジ２の枢接部２１の穿孔２２、第二ワッシャー３３及び第二リベット３１内に通して設置し、第一リベット３０と第二リベット３１をリベット接合して一体とし、これにより２個の連接アセンブリ３は、該中ブリッジ２の枢接部２１上にそれぞれ設置されて支軸を形成する。
【００２９】
さらに、レーザー溶接により、２個の連接アセンブリ３の第二リベット３１を、２個のメガネフレーム１の連接部１１の内側面上にそれぞれ固定し、これにより中ブリッジ２は、連接アセンブリ３により、該２個のメガネフレーム１の間に堅固に設置される。
【００３０】
中ブリッジ２の２個の係合溝２０は、２個のメガネフレーム１の定位係合溝１２にそれぞれ係合して設置され、またこれとは別に定位ピン４２を伸縮アーム４のスライド溝４１内に通して設置し、さらに伸縮アーム４と定位ピン４２をテンプル５の収容設置溝５０内にいっしょに挿入して設置する。
【００３１】
伸縮アーム４のスライド溝４１内に挿通する定位ピン４２の一部は、テンプル５の定位穿孔５１内に通して設置されて固定され、定位ピン４２により、伸縮アーム４とテンプル５は一体に組み合わされ、伸縮アーム４のテンプル５内からの脱出を防止する。
【００３２】
さらに、２個の伸縮アーム４の嵌接片４０を、２個のメガネフレーム１の組合せ接続部１３の嵌合接続溝１４内にそれぞれ挿入して設置して２個の伸縮アーム４を、２個のメガネフレーム１の外側辺に組み付け、こうして全体の組み立てを完成させる。
【００３３】
展開使用時には、図２〜６に示すように、２個のメガネフレーム１を、中ブリッジ２両端の枢接部２１上の連接アセンブリ３を回転軸として、２個のメガネフレーム１を、下向きに移動させて展開し、これにより中ブリッジ２両側辺底縁の係合溝２０は、２個のメガネフレーム１の連接部１１の定位係合溝１２にそれぞれ嵌りこんで係合し、２個のメガネフレーム１は、中ブリッジ２の両側に係合して定位されることにより２個のメガネフレーム１の展開を完成させる。
【００３４】
また、２個の伸縮アーム４を、２個のメガネフレーム１の両外側辺までそれぞれ外向きに展開してテンプル５を外向きに引き伸ばす（図６参照）と、テンプル５上に固定される定位ピン４２は、伸縮アーム４のスライド溝４１内でスライド移動し、伸縮アーム４は、テンプル５の収容設置溝５０内から伸び出して、テンプル５の長さは延伸され、こうしてメガネの展開を完成し、着用しての使用に供される。
【００３５】
メガネを使用せず、折り畳み収納する時には、図７〜１１に示すように、２個のテンプル５を、２個の伸縮アーム４へとそれぞれ押して移動させ、これにより２個の伸縮アーム４は収縮し、２個のテンプル５の収容設置溝５０内にそれぞれ入る（図７参照）。
【００３６】
次に、それぞれ２個の伸縮アーム４の嵌接片４０と２個のメガネフレーム１の組合せ接続部１３を支軸として、２個のメガネフレーム１の内側面へ向かって移動させて折り畳み（図８参照）、さらに中ブリッジ２両端の枢接部２１上の連接アセンブリ３を回転軸として、２個のメガネフレーム１を上向きに移動させ合わせ（図９、１０、１１参照）、こうしてメガネの折り畳み収納を完成させる。
【００３７】
本考案は、構造全体にネジによる組み付けを使用しないため、緩んで抜ける恐れがなく、しかも２個のメガネフレーム１は上向きに移動させて合わせるため、テンプルを畳むことによる厚みが増すことはなく、さらにメガネレンズ１０はテンプル５に接触されないため傷つく恐れがない。
【００３８】
上記を総合すると、本考案はメガネ折り畳み後の全体の体積が小さく薄くなり、折り畳み収納後には名刺と同じ大きさとなるため、携帯に便利である。
【産業上の利用可能性】
【００３９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４０】
Ａ    メガネフレーム
Ａ１  メガネレンズ
Ｂ    横ブリッジ
Ｃ    ネジ
Ｄ    テンプル
１    メガネフレーム
１０  メガネレンズ
１１  連接部
１２  定位係合溝
１３  組合せ接続部
１４  嵌合接続溝
２    中ブリッジ
２０  係合溝
２１  枢接部
２２  穿孔
３    連接アセンブリ
３０  第一リベット
３１  第二リベット
３２  第一ワッシャー
３３  第二ワッシャー
４    伸縮アーム
４０  嵌接片
４１  スライド溝
４２  定位ピン
５    テンプル
５０  収容設置溝
５１  定位穿孔
【図１】
0003229667.tif 000003
【図２】
0003229667.tif 000004
【図３】
0003229667.tif 000005
【図４】
0003229667.tif 000006
【図５】
0003229667.tif 000007
【図６】
0003229667.tif 000008
【図７】
0003229667.tif 000009
【図８】
0003229667.tif 000010
【図９】
0003229667.tif 000011
【図１０】
0003229667.tif 000012
【図１１】
0003229667.tif 000013